【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
１つ以上の吸着剤材料を含む吸着剤カートリッジ、および前記吸着剤カートリッジに１つ以上の吸着剤材料を補給するための補給器と、
前記吸着剤カートリッジまたは補給器の少なくとも１つに対応するデータを含む吸着剤ベースの透析システムを管理するための少なくとも１つの認証コンポーネントと、
前記少なくとも１つの認証コンポーネントの前記データを読み込む少なくとも１つの識別器と、
前記少なくとも１つの識別器から前記データを受信するプロセッサであって、前記データは前記プロセッサによって前記吸着剤カートリッジまたは補給器の少なくとも１つに関して判定をするために処理される、プロセッサと
を含み、
前記認証コンポーネントおよび患者認証コンポーネントからの前記データは前記プロセッサに通信され、
前記プロセッサは前記吸着剤カートリッジまたは補給器に関して患者のための前記透析システムの最適化された設定を判定するための命令を実行し、
前記透析システムの前記最適化された設定は、前記吸着剤カートリッジのいずれか１つが完全に補給されているか、前記吸着剤カートリッジが前記透析システムに適合しているか、前記透析システムの設定が前記患者に対して適切か、前記吸着剤カートリッジが患者処方、血液流量、吸着剤カートリッジサイズ、限外ろ過率、限外ろ過プロフィールおよびそれらの組み合わせに適合しているかを含む、透析認証システム。
【請求項２】
前記認証コンポーネントは、透析器、吸着剤カートリッジおよび補給器のグループから選択されるいずれか１つ以上に固定される、請求項１に記載の透析認証システム。
【請求項３】
前記認証コンポーネントは、無線周波識別（ＲＦＩＤ）マーカ、バーコード、１−Ｗｉｒｅセキュリティコンポーネントおよび無線認証コンポーネントを含むグループから選択される、請求項１に記載の透析認証システム。
【請求項４】
前記認証コンポーネントは埋め込みメモリを含む、請求項１に記載の透析認証システム。
【請求項５】
前記認証コンポーネントはスマートカードに接着した無線周波識別（ＲＦＩＤ）チップとメモリチップを含む、請求項１に記載の透析認証システム。
【請求項６】
前記認証コンポーネントは読み込み可能および書き込み可能であり、前記吸着剤カートリッジまたは補給器の前記データが更新されることを可能とする、請求項１に記載の透析認証システム。
【請求項７】
前記プロセッサは前記認証コンポーネントから受信する前記データに基づいて、非認定コンポーネントまたは偽のコンポーネントを判定する、請求項１に記載の透析認証システム。
【請求項８】
前記患者認証コンポーネントは、埋め込み可能デバイス、カード状のデバイスおよびリストバンドデバイスの１つである、請求項１に記載の透析認証システム。
【請求項９】
前記プロセッサは、前記認証コンポーネントおよび前記患者認証コンポーネントから受信するデータに基づいて、前記吸着剤カートリッジまたは補給器が前記患者に適合しているか、前記吸着剤カートリッジまたは補給器の設定が適切か、および最適化された性能のために前記設定の何らかの変更を行うべきか、のうち１つ以上を判定する、請求項１に記載の透析認証システム。
【請求項１０】
前記識別器は前記認証コンポーネントを読み込むために第２の透析コンポーネント上に固定され、前記プロセッサは、前記認証コンポーネントを有する前記透析コンポーネントが前記第２の透析コンポーネントに適合しているかを判定する、請求項１に記載の透析認証システム。
【請求項１１】
前記識別器は少なくとも２つの異なるタイプの前記認証コンポーネントと通信することが可能であるマルチモードタイプリーダである、請求項１に記載の透析認証システム。
【請求項１２】
前記少なくとも１つの認証コンポーネントが２つ以上の認証コンポーネントを含み、前記識別器は前記２つ以上の認証コンポーネントを互いに区別する、請求項１に記載の透析認証システム。
【請求項１３】
請求項１に記載の透析認証システムを提供することと、
前記少なくとも１つの識別器によって、第１の透析コンポーネントに対応する第１の認証コンポーネントから第１のデータを読み込むことと、
前記少なくとも１つの識別器によって、第２の透析コンポーネントまたは前記患者に対応する第２の認証コンポーネントから第２のデータを読み込むことと、
前記プロセッサによって、前記少なくとも１つの識別器から前記第１のデータおよび前記第２のデータを受信することと、
前記プロセッサによって、前記第１のデータおよび前記第２のデータに基づいて前記第２の透析コンポーネントまたは前記患者からみて前記第１の透析コンポーネントに関して判定を行うことと、
前記第２の透析コンポーネントまたは前記患者からみて最適化された性能のために前記第１の透析コンポーネントの設定を制御することと
を含む、無線信号を介して透析を実行するための透析システムを管理する方法。
【請求項１４】
前記透析の間か終了後に、前記透析に関するデータを前記第１の認証コンポーネントおよび前記第２の認証コンポーネントの少なくとも１つに格納することを更に含む、請求項１３に記載の方法。
【請求項１５】
請求項１に記載の透析認証システムを提供するステップと、
前記少なくとも１つの識別器によって吸着剤ベースの透析において使用する補給可能コンポーネントに固定される認証コンポーネントからデータを読み込むステップと、
前記少なくとも１つの認証コンポーネントに由来する前記データを前記プロセッサに通信するステップと、
前記プロセッサによって受信する前記データに基づいて、前記補給器によって前記補給可能コンポーネントの補給を始めるべきかを判定するステップと、
前記プロセッサによってなされる前記判定に基づいて、前記補給可能コンポーネントに補給するために用いる前記補給器を制御して選択的に補給するステップと
を含む、方法。
【請求項１６】
前記判定するステップは、前記補給可能コンポーネントが予め定められた標準を用いて長く保管され過ぎているか、前記補給可能コンポーネントが完全には補給されていないか、および、前記補給可能コンポーネントが補給の限度に達しているか、の１つ以上を判定するステップを更に含む、請求項１５に記載の方法。
【請求項１７】
請求項１に記載の透析認証システムを提供することと、
血液透析システムに固定される識別器によって、マルチ使用カートリッジに固定される認証コンポーネントのデータを読み込むことと、
前記識別器によって、前記認証コンポーネントの前記データを前記プロセッサに通信することと、
前記プロセッサによって、前記カートリッジが前記プロセッサに通信される前記データに従って適切に用いられるようになっているかを判定することと、
前記プロセッサによってなされる前記判定に従って血液透析治療を制御することと
を含む、方法。
【請求項１８】
前記判定するステップは、前記カートリッジが予め定められた標準によれば長く保管され過ぎているか、前記カートリッジが完全には補給されていないか、前記カートリッジが補給の限度に達しているか、および、前記カートリッジが患者に適合しているか、の１つ以上を判定することを含む、請求項１７に記載の方法。
【請求項１９】
前記患者認証コンポーネントはアンモニア破過が少なくとも１つの以前のセッションで起きたかを保存する、請求項１に記載の透析認証システム。
【請求項２０】
アンモニア破過が前記少なくとも１つの以前のセッションで起きた場合、前記プロセッサは前記最適化された設定がより大きい吸着剤カートリッジサイズを含むと判定する、請求項１９に記載の透析認証システム。
【手続補正２】
【補正対象書類名】明細書
【補正対象項目名】００３２
【補正方法】変更
【補正の内容】
【００３２】
本発明の第４の態様の一部であるとして開示される特徴のいずれもが、単独あるいは組み合わせで本発明の第４の態様に含まれ得る。
本願明細書は、例えば、以下の項目も提供する。
（項目１）
１つ以上の吸着剤材料を含む吸着剤カートリッジ、および前記吸着剤カートリッジに１つ以上の吸着剤材料を補給するための補給器と、
前記吸着剤カートリッジまたは補給器の少なくとも１つに対応するデータを含む吸着剤ベースの透析システムを管理するための少なくとも１つの認証コンポーネントと、
前記少なくとも１つの認証コンポーネントの前記データを読み込む少なくとも１つの識別器と、
前記少なくとも１つの識別器から前記データを受信するプロセッサであって、前記データは前記プロセッサによって前記吸着剤カートリッジまたは補給器の少なくとも１つに関して判定をするために処理される、プロセッサと、
を含み、
前記認証コンポーネントおよび患者認証コンポーネントからの前記データは前記プロセッサに通信され、
前記プロセッサは前記吸着剤カートリッジまたは補給器に関して前記患者のための前記透析システムの最適化された設定を判定するための命令を実行し、
前記透析システムの前記最適化された設定は、前記吸着剤カートリッジのいずれか１つが完全に補給されているか、前記吸着剤カートリッジが前記透析システムに適合しているか、前記透析システムの設定が前記患者に対して適切か、前記吸着剤カートリッジが患者処方、血液流量、吸着剤カートリッジサイズ、限外ろ過率、限外ろ過プロフィールおよびそれらの組み合わせに適合しているかを含む、
透析認証システム。
（項目２）
前記認証コンポーネントは、透析器、吸着剤カートリッジおよび補給器のグループから選択されるいずれか１つ以上に固定される、項目１に記載の透析認証システム。
（項目３）
前記認証コンポーネントは、無線周波識別（ＲＦＩＤ）マーカ、バーコード、１−Ｗｉｒｅセキュリティコンポーネントおよび無線認証コンポーネントを含むグループから選択される、項目１に記載の透析認証システム。
（項目４）
前記認証コンポーネントは埋め込みメモリを含む、項目１に記載の透析認証システム。
（項目５）
前記認証コンポーネントはスマートカードに接着した無線周波識別（ＲＦＩＤ）チップとメモリチップを含む、項目１に記載の透析認証システム。
（項目６）
前記認証コンポーネントは読み込み可能および書き込み可能であり、前記吸着剤カートリッジまたは補給器の前記データが更新されることを可能とする、項目１に記載の透析認証システム。
（項目７）
前記プロセッサは前記認証コンポーネントから受信する前記データに基づいて、非認定コンポーネントまたは偽のコンポーネントを判定する、項目１に記載の透析認証システム。
（項目９）
前記患者認証コンポーネントは、埋め込み可能デバイス、カード状のデバイスおよびリストバンドデバイスの１つである、項目１に記載の透析認証システム。
（項目１１）
前記プロセッサは、前記認証コンポーネントおよび前記患者認証コンポーネントから受信するデータに基づいて、前記吸着剤カートリッジまたは補給器が前記患者に適合しているか、前記吸着剤カートリッジまたは補給器の設定が適切か、および最適化された性能のために前記設定の何らかの変更を行うべきか、のうち１つ以上を判定する、項目１に記載の透析認証システム。
（項目１２）
前記識別器は前記認証コンポーネントを読み込むために第２の透析コンポーネント上に固定され、前記プロセッサは、前記認証コンポーネントを有する前記透析コンポーネントが前記第２の透析コンポーネントに適合しているかを判定する、項目１に記載の透析認証システム。
（項目１３）
前記識別器は少なくとも２つの異なるタイプの前記認証コンポーネントと通信することが可能であるマルチモードタイプリーダである、項目１に記載の透析認証システム。
（項目１４）
前記少なくとも１つの認証コンポーネントが２つ以上の認証コンポーネントを含むとき、前記識別器は前記２つ以上の認証コンポーネントを互いに区別する、項目１に記載の透析認証システム。
（項目１５）
識別器によって、第１の透析コンポーネントに対応する第１の認証コンポーネントから第１のデータを読み込むことと、
前記識別器によって、第２の透析コンポーネントまたは患者に対応する第２の認証コンポーネントから第２のデータを読み込むことと、
プロセッサによって、前記識別器から前記第１のデータおよび前記第２のデータを受信することと、
プロセッサによって、前記第１のデータおよび前記第２のデータに基づいて前記第２の透析コンポーネントまたは前記患者からみて前記第１の透析コンポーネントに関して判定を行うことと、
前記第２の透析コンポーネントまたは前記患者からみて最適化された性能のために前記第１の透析コンポーネントの設定を制御することと
を含む、無線信号を介して透析を実行するための透析システムを管理する、項目１に記載のシステムを用いた方法。
（項目１６）
前記透析の間か終了後に、前記透析に関するデータを前記第１の認証コンポーネントおよび前記第２の認証コンポーネントの少なくとも１つに格納することを更に含む、項目１５に記載の方法。
（項目１７）
識別器によって吸着剤ベースの透析において使用する補給可能コンポーネントに固定される認証コンポーネントからデータを読み込むステップと、
前記認証コンポーネントに由来する前記データをプロセッサに通信するステップと、
前記プロセッサによって受信する前記データに基づいて、前記補給器によって前記補給可能コンポーネントの補給を始めるべきかを判定するステップと、
前記プロセッサによってなされる前記判定に基づいて、前記補給可能コンポーネントに補給するために用いる補給器を制御して選択的に補給するステップと、
を含む、項目１に記載のシステムを用いた方法。
（項目１８）
前記判定するステップは、前記補給可能コンポーネントが予め定められた標準を用いて長く保管され過ぎているか、前記補給可能コンポーネントが完全には補給されていないか、および、前記補給可能コンポーネントが補給の限度に達しているか、の１つ以上を判定するステップを更に含む、項目１７に記載の方法。
（項目１９）
血液透析システムに固定される識別器によって、マルチ使用カートリッジに固定される認証コンポーネントのデータを読み込むことと、
前記識別器によって、前記認証コンポーネントの前記データをプロセッサに通信することと、
前記プロセッサによって、前記カートリッジが前記プロセッサに通信される前記データに従って適切に用いられるようになっているかを判定することと、
前記プロセッサによってなされる前記判定に従って血液透析治療を制御することと、
を含む、項目１のシステムを用いた方法。
（項目２０）
前記判定するステップは、前記カートリッジが予め定められた標準によれば長く保管され過ぎているか、前記カートリッジが完全には補給されていないか、前記カートリッジが補給の限度に達しているか、および、前記カートリッジが患者に適合しているか、の１つ以上を判定することを含む、項目１９に記載の方法。
（項目２１）
前記患者認証コンポーネントはアンモニア破過が少なくとも１つの以前のセッションで起きたかを保存する、項目１に記載のシステム。
（項目２２）
アンモニア破過が前記少なくとも１つの以前のセッションで起きた場合、前記プロセッサは前記最適化された設定がより大きい吸着剤カートリッジサイズを含むと判定する、項目２１に記載のシステム。